(57)【要約】【課題】オーディオ情報とコンテンツ情報を共通した管理情報で管理することで著作権を保護しながら迅速な移動処理を行う情報記録再生装置を提供する。【解決手段】第１記録媒体１に格納されたオーディオ情報と関連するコンテンツ情報について、オーディオ情報の移動を命じられた時、オーディオ情報を第２記録媒体へ記録し第１記録媒体から削除することでオーディオ情報を移動し、コンテンツ情報の削除は行わず、コンテンツ情報の管理情報（ＰＧＣＩ＃３）を削除することでコンテンツ情報を再生無効とする移動機能処理部３０６を有する情報記録再生装置。オーディオ情報の移動後にコンテンツ情報を再生不可能とさせ、その後オーディオ情報を戻した時に、管理情報を生成するだけで迅速にコンテンツ情報を再生可能にすることができる。【選択図】　　図１
2004005816.tif 000002
【特許請求の範囲】
【請求項１】
第１の記録媒体に格納されたオーディオ情報とこれに関連するコンテンツ情報について、前記オーディオ情報の第２の記録媒体への移動を命じられた時、前記オーディオ情報を前記第２記録媒体へ記録し前記オーディオ情報を前記第１記録媒体から削除することで前記オーディオ情報を移動する移動手段と、
前記移動手段の移動と共に、前記コンテンツ情報の削除は行わず、前記コンテンツ情報の管理情報を削除することにより前記コンテンツ情報の再生を無効とする無効手段と、
を具備することを特徴とする情報記録再生装置。
【請求項２】
前記無効手段は、前記オーディオ情報と前記コンテンツ情報とに共通した記録順序を示したプログラム・チューン情報中の前記管理情報であるプログラム情報を削除することにより、前記コンテンツ情報の再生を無効とする手段を有することを特徴とする請求項１記載の情報記録再生装置。
【請求項３】
前記第２媒体から前記第１媒体への前記オーディオ情報の移動処理を命じられた時、前記オーディオ情報を前記第１媒体へ再び記録することで前記第１媒体へ前記オーディオ情報を戻す戻し手段と、
前記戻し手段が前記第１媒体へ前記オーディオ情報を戻すと共に、前記オーディオ情報の識別情報と前記コンテンツ情報の識別情報との間で認証処理を行う認証手段と、
認証手段の認証処理により認証が認められた時、前記コンテンツ情報の管理情報を再び生成することによりコンテンツ情報の再生無効を解除して再生を可能とする解除手段と、
を更に有することを特徴とする請求項１記載の情報記録再生装置。
【請求項４】
前記認証手段における前記オーディオ情報の識別情報はＩＤ情報と拡張情報であり、前記コンテンツ情報の識別情報はＩＤ情報と拡張情報であって、前記認証手段は、両者の前記ＩＤ情報が同一であるかどうかにより認証を行うことを特徴とする請求項３記載の情報記録再生装置。
【請求項５】
前記無効手段が無効とする前記コンテンツ情報は、静止画情報とテキスト情報との少なくとも一方であることを特徴とする請求項１記載の情報記録再生装置。
【請求項６】
第１の記録媒体に格納されたオーディオ情報とこれに関連するコンテンツ情報について、前記オーディオ情報の第２の記録媒体への移動を命じられた時、前記オーディオ情報の削除は行わず、前記オーディオ情報を前記第２記録媒体へ記録し、前記オーディオ情報の管理情報を削除して前記オーディオ情報の再生を無効とすることで前記オーディオ情報を移動する移動手段と、
前記移動手段の移動と共に、前記コンテンツ情報の削除は行わず、前記コンテンツ情報の管理情報を削除することにより、前記コンテンツ情報の再生を無効とする無効手段と、
を具備することを特徴とする情報記録再生装置。
【請求項７】
前記移動手段で削除する前記オーディオ情報の管理情報と、無効手段で削除する前記コンテンツ情報の管理情報とは同一のものであり、情報の記録順序を示したプログラム・チューン情報中のプログラム情報であることを特徴とする請求項６記載の情報記録再生装置。
【請求項８】
前記第２媒体から前記第１媒体への前記オーディオ情報の移動処理を命じられた時、前記第２媒体から前記オーディオ情報を削除し、前記オーディオ情報の識別情報と前記第１媒体で無効となったオーディオ情報の識別情報とを比較認証する第１認証手段と、
前記第１認証手段の認証処理により認証が認められた時、前記オーディオ情報の管理情報を再び生成することにより前記オーディオ情報の再生無効を解除して再生を可能とする第１解除手段と、
前記第１解除手段の再生無効の解除の後に、前記オーディオ情報の前記識別情報と前記コンテンツ情報の識別情報とを比較認証する第２認証手段と、
前記第２認証手段の認証処理により認証が認められた時、前記第１解除手段が生成した前記管理情報に前記コンテンツ情報を登録することにより前記コンテンツ情報の再生無効を解除して再生を可能とする第２解除手段と、
を更に有することを特徴とする請求項６記載の情報記録再生装置。
【請求項９】
前記第２認証手段における前記オーディオ情報の識別情報はＩＤ情報と拡張情報であり、前記コンテンツ情報の識別情報はＩＤ情報と拡張情報であって、前記認証手段は、両者の前記ＩＤ情報が同一であるかどうかにより認証を行うことを特徴とする請求項８記載の情報記録再生装置。
【請求項１０】
前記無効手段が無効とする前記コンテンツ情報は、静止画情報とテキスト情報との少なくとも一方であることを特徴とする請求項６記載の情報記録再生装置。
【請求項１１】
第１の記録媒体に格納された第１コンテンツ情報とこれに関連する第２コンテンツ情報について、前記第１コンテンツ情報の第２の記録媒体への移動を命じられた時、前記第１コンテンツ情報を前記第２記録媒体へ記録し前記第１コンテンツ情報を前記第１記録媒体から削除することで前記第１コンテンツ情報を移動する移動手段と、
前記移動手段の移動と共に、前記第２コンテンツ情報の削除は行わず、前記第２コンテンツ情報の管理情報を削除することにより前記第２コンテンツ情報の再生を無効とする無効手段と、
を具備することを特徴とする情報記録再生装置。
【請求項１２】
第１の記録媒体に格納された第１コンテンツ情報とこれに関連する第２コンテンツ情報について、前記第１コンテンツ情報の第２の記録媒体への移動を命じられた時、前記第１コンテンツ情報の削除は行わず、前記第１コンテンツ情報を前記第２記録媒体へ記録し、前記第１コンテンツ情報の管理情報を削除して前記第１コンテンツ情報の再生を無効とすることで前記第１コンテンツ情報を移動する移動手段と、
前記移動手段の移動と共に、前記第２コンテンツ情報の削除は行わず、前記第２コンテンツ情報の管理情報を削除することにより、前記第２コンテンツ情報の再生を無効とする無効手段と、
を具備することを特徴とする情報記録再生装置。
【請求項１３】
第１の記録媒体に格納された第１コンテンツ情報とこれに関連する第２コンテンツ情報について、前記第１コンテンツ情報の第２の記録媒体への移動を命じられた時、前記第１コンテンツ情報を前記第２記録媒体へ記録し前記第１コンテンツ情報を前記第１記録媒体から削除することで前記第１コンテンツ情報を移動する移動工程と、
前記移動工程の移動と共に、前記第２コンテンツ情報の削除は行わず、前記第２コンテンツ情報の管理情報を削除することにより前記第２コンテンツ情報の再生を無効とする無効工程と、
を具備することを特徴とする情報記録再生方法。
【請求項１４】
第１の記録媒体に格納された第１コンテンツ情報とこれに関連する第２コンテンツ情報について、前記第１コンテンツ情報の第２の記録媒体への移動を命じられた時、前記第１コンテンツ情報の削除は行わず、前記第１コンテンツ情報を前記第２記録媒体へ記録し、前記第１コンテンツ情報の管理情報を削除して前記第１コンテンツ情報の再生を無効とすることで前記第１コンテンツ情報を移動する移動工程と、
前記移動工程の移動と共に、前記第２コンテンツ情報の削除は行わず、前記第２コンテンツ情報の管理情報を削除することにより、前記第２コンテンツ情報の再生を無効とする無効工程と、
を具備することを特徴とする情報記録再生方法。
【発明の詳細な説明】
【０００１】
【発明の属する技術分野】
この発明は、電子音楽配信によるオーディオ情報と関連のコンテンツ情報を扱う情報記録再生装置に関し、特にオーディオ情報の移動処理に関する。
【０００２】
【従来の技術】
近年、音楽コンテンツの多くは、ＣＤ（Ｃｏｍｐａｃｔ　Ｄｉｓｃ）やＭＤ（Ｍｉｎｉ　Ｄｉｓｃ）などのパッケージメディアとしてユーザに供給されてきたが、最近、インターネットなどのインフラが整ってきたことにより、そのインフラを利用した新しい音楽コンテンツの配信ビジネスが始まりつつある。そこで、いくつかの電子音楽配信（ＥＭＤ：Ｅｌｅｃｔｒｏｎｉｃ　Ｍｕｓｉｃ　Ｄｉｓｔｒｉｂｕｔｉｏｎ）サービスが開始され、配信される音楽コンテンツのＤＶＤ（Ｄｉｇｉｔａｌ　ＶｅｒｓａｔｉｌｅＤｉｓｃ）等の大容量ディスクへの記録要求も高まってきている。
【０００３】
ＥＭＤシステムより配信される音楽コンテンツ、又はＣＤに記録される音楽コンテンツ等には、一般に著作権が主張されている。これら著作権のある音楽コンテンツは、ＳＤＭＩ（Ｓｅｃｕｒｅ　Ｄｉｇｉｔａｌ　Ｍｕｓｉｃ　Ｉｎｉｔｉａｔｉｖｅ）やＳＣＭＳ（Ｓｅｒｉａｌ　Ｃｏｐｙ　Ｍａｎａｇｅｍｅｎｔ　Ｓｙｓｔｅｍ）等により、コピー管理の仕組みを有する。
【０００４】
ＥＭＤシステムにおけるＳＤＭＩ準拠の音楽コンテンツの管理は、ＬＣＭ（Ｌｉｃｅｎｓｅｄ　Ｃｏｍｐｌｉａｎｔ　Ｍｏｄｕｌｅｓ）とＰＤ（Ｐｏｒｔａｂｌｅ　Ｄｅｖｉｃｅ）間で、保護されたデジタルコンテンツのやり取りを定義し、チェックイン及びチェックアウト機能により他の媒体へのコンテンツの複数コピーを実行管理している。ＳＤＭＩの規定により、ＬＣＭからＰＤに音楽コンテンツをチェックアウトした場合、この音楽コンテンツは、元のＬＣＭに対してのみチェックイン機能により音楽コンテンツを戻すことが出来る。
【０００５】
ＣＤ等におけるＳＣＭＳ準拠の音楽コンテンツの管理は、デジタルインターフェースを通じて、複製制御情報（ＣＣＩ：　Ｃｏｐｙ　Ｃｏｎｔｒｏｌ　Ｉｎｆｏｒｍａｔｉｏｎ）を伝送し、デジタル録音機側で録音の可否を決定する。
【０００６】
音楽コンテンツを識別する情報として、一般にＣＤに記録されるＵＰＣ（Ｕｎｉｖｅｒｓａｌ　Ｐｒｏｄｕｃｔ　Ｃｏｄｅ）及びＩＳＲＣ（Ｉｎｔｅｒｎａｔｉｏｎａｌ　Ｓｔａｎｄａｒｄ　Ｒｅｃｏｒｄｉｎｇ　Ｃｏｄｅ）がある。
【０００７】
ＵＰＣは、ＣＤのＴＯＣに書き込まれる１３桁のＵＰＣカタログ番号を定義し、左から、２桁のナンバキャラクタ（先頭０）、５桁のメーカコード、５桁のアイテムコード、１桁のチェック数字の順に記録される。
【０００８】
ＩＳＲＣは、各オーディオトラックに記録されるＩＳＲＣコードを定義する。図９に示す様に、ＩＳＲＣコードは、国別コード（２バイトのＡＳＣＩＩキャラクタ）、会社（所有者）コード（３バイトのＡＳＣＩＩキャラクタ）、レコーディング年（２桁）、およびシリアル番号（５桁）で構成される。
【０００９】
また、特開２００１−２２６４７号公報は、このようなコンテンツ管理方法を開示している。すなわち、記録媒体に記録された複製コンテンツの消去及び複製コンテンツの数を管理する複製コンテンツの管理方法を提供している。
【００１０】
上記した従来技術においては、ＳＤＭＩ準拠の音楽コンテンツの管理は、ＬＣＭ（Ｌｉｃｅｎｓｅｄ　Ｃｏｍｐｌｉａｎｔ　Ｍｏｄｕｌｅｓ）とＰＤ（Ｐｏｒｔａｂｌｅ　Ｄｅｖｉｃｅ）間で、保護されたデジタルコンテンツのやり取りであり、決められた機器同士間のみで音楽コンテンツのやり取りを行い著作権を保護している。
【００１１】
しかしながら、最近のオーディオ情報は、オーディオ情報単体ではなく、これに関連したミュージシャンの顔画像等の静止画や歌詞や解説等のテキスト情報等のコンテンツ情報を伴うものが多い。ここで、例えば、オーディオ情報を特定の媒体へ移動した後に、機器に残ったこれらのコンテンツ情報をユーザが著作権を考慮せずに際限なくコピーを繰り返す可能性があるという問題がある。
【００１２】
更に、オーディオ情報とコンテンツ情報とは必ず一緒に移動されなければならないという制限を設けるとすると、媒体間でのオーディオ情報の移動時間や操作時間が長くなり、デジタル情報としての操作の迅速性が損なわれるという問題がある。
【００１３】
【発明が解決しようとする課題】
すなわち、上述した従来装置においては、静止画情報やテキスト情報等のコンテンツ情報を伴うオーディオ情報を機器間や媒体間で移動する際に、著作権を保護するべくオーディオ情報とコンテンツ情報とは必ず一緒に移動させる等の制限を設けると、デジタル情報でありながら迅速に移動することができないという問題がある。
【００１４】
本発明では、オーディオ情報とコンテンツ情報を共通した識別情報で管理することで、著作権を保護しつつも迅速な移動処理を行うことができる情報記録再生装置を提供することを目的とする。
【００１５】
【課題を解決するための手段】
本発明はこの課題を解決するべく、第１の記録媒体に格納されたオーディオ情報とこれに関連するコンテンツ情報について、前記オーディオ情報の第２の記録媒体への移動を命じられた時、前記オーディオ情報を前記第２記録媒体へ記録し前記オーディオ情報を前記第１記録媒体から削除することで前記オーディオ情報を移動する移動手段と、前記移動手段の移動と共に、前記コンテンツ情報の削除は行わず、前記コンテンツ情報の管理情報を削除することにより前記コンテンツ情報の再生を無効とする無効手段とを具備することを特徴とする情報記録再生装置である。
【００１６】
本発明は上記構造により、オーディオ情報の移動に伴い、これに関連する静止画情報やテキスト情報等のコンテンツ情報も著作権保護の見地から一緒に移動しなければならない等の制限を設けると、迅速な移動処理ができないという課題を解決するものである。すなわち、オーディオ情報と共通した識別情報により関連のコンテンツ情報を管理し、オーディオ情報を他の媒体等に移動した際に、コンテンツ情報は削除せず管理情報だけを削除して再生不可とすることによりコンテンツ情報の著作権を保護するものである。これにより、再びオーディオ情報を媒体や機器に戻した際に、プログラム等の管理情報を再び生成することにより、容易にオーディオ情報とコンテンツ情報とが再生可能となるものであり、実際のデータ移動を最小限に抑え、迅速な移動処理と確実な著作権保護とを可能とするものである。
【００１７】
又本発明は、第１の記録媒体に格納されたオーディオ情報とこれに関連するコンテンツ情報について、前記オーディオ情報の第２の記録媒体への移動を命じられた時、前記オーディオ情報の削除は行わず、前記オーディオ情報を前記第２記録媒体へ記録し、前記オーディオ情報の管理情報を削除して前記オーディオ情報の再生を無効とすることで前記オーディオ情報を移動する移動手段と、前記移動手段の移動と共に、前記コンテンツ情報の削除は行わず、前記コンテンツ情報の管理情報を削除することにより、前記コンテンツ情報の再生を無効とする無効手段とを具備することを特徴とする情報記録再生装置である。
【００１８】
本発明は上記構造により、オーディオ情報の他の媒体への移動に伴い、オーディオ情報も関連するコンテンツ情報も削除することなく、共通した管理情報であるプログラムを削除することで再生不可能とするものである。これにより、著作権の保護を確実にする一方で、再びオーディオ情報が他の媒体から戻し移動された時に、オーディオ情報を他の媒体から移動させる必要がないため、移動処理を非常に迅速に行うことができる。ここでは、同一のオーディオ情報が再生不可能の状態で現在の機器（媒体）に存在することを識別情報つまりＩＤ情報の承認を得ることにより確認し、管理情報であるプログラム情報を再び形成することにより、オーディオ情報も関連するコンテンツ情報も再生可能とするものである。このようにオーディオ情報とコンテンツ情報とを共通した管理情報であるプログラム情報で管理し、識別情報つまりＩＤ情報をオーディオ情報と関連するコンテンツ情報とで共通のものとすることで認証を確実に行うことにより、移動の際もオーディオ情報を削除することなく再生不能とすることができるため、著作権保護を確実としながら、実際のデータ移動を最小限に抑えることで迅速な移動処理も同時に可能とするものである。
【００１９】
【発明の実施の形態】
以下、図面を参照しながら本発明に係る情報記録再生装置及び情報記録再生方法を詳細に説明する。
【００２０】
＜本発明のポイント＞
本発明のポイントして、少なくとも以下の事項がある。
（１）オーディオに静止画像やテキストも伴う著作権を有するオーディオコンテンツを識別する識別情報としてコンテンツＩＤ（共通ＩＤ＋拡張ＩＤ）を利用し、媒体間の移動制御に利用する。
（２）オーディオコンテンツの移動記録方法は、静止画像及びテキストのコンテンツＩＤとオーディオのコンテンツＩＤとの照合により、ユニット的に取扱われる。
ユニット組合せには、少なくとも以下がある。
【００２１】
（ａ）オーディオのみ
（ｂ）オーディオ＋静止画像
（ｃ）オーディオ＋テキスト
（ｄ）オーディオ＋静止画像＋テキスト
（３）静止画像及びテキストを伴わないオーディオコンテンツのオーディオ移動により、残された静止画像及びテキストは、ディスクの管理情報で無効なデータとして管理し、再移動によりオーディオが移動元に戻された場合に、コンテンツＩＤの照合により、有効データとして再リンク再利用可能とする。
【００２２】
＜本発明に係るオーディオコンテンツ情報記録再生装置＞
図１は、本発明に係るオーディオコンテンツの情報記録再生装置の一例を示すブロック図を示す。図１において、情報記録再生装置は、パッケージコンテンツ３４１や電子音楽配信コンテンツ３４２を取り入れるアナログ映像入力部３１２と、デジタル音声入力部３１１と、アナログ音声入力部３１３との各入力部を有しており、更に、記録部３２０と、これにＳＴＣ部（Ｓｙｓｔｅｍ　Ｔｉｍｅ　Ｃｏｕｎｔｅｒ）を介して再生部３３０と、更に、各出力信号を出力するためのアナログ映像出力部３１４と、デジタル音声出力部３１６と、アナログ音声入力部３１５との各出力部を有している。更に、全体の制御を司るメインＭＰＵ部３０５とこれに含まれる機能として、本発明の特徴である移動機能処理部３０６とを有している。又、更に、記録媒体である光ディスク１を駆動するディスクドライブ部３０２と、これに接続されて処理情報を一時的に格納する一時記憶部３０４と、ディスクドライブ３０２と記録部３２０とに接続されデータ処理を行うデータプロセッサ３０３とを有している。
【００２３】
記録部３２０及び再生部３３０は、メインＭＰＵ部３０５の制御に基づいて、各種入力部３１１〜３１３から入力されるコンテンツ情報（ＣＤ等のパッケージメディアコンテンツ３４１、又は電話回線やインターネット回線を経由して配信される電子音楽配信コンテンツ３４２等）をデータプロセッサ部３０３、ディスクドライブ部３０２を介してディスク１への記録処理と、ディスク１からディスクドライブ部３０２、データプロセッサ部３０３を介して読み出したコンテンツ情報を各種出力部３１４〜３１６へ出力し再生処理を行う。一時記憶部３０４は、ディスクドライブ部３０２の読み出し、書き込みのデータの一時格納用である。
【００２４】
記録部３２０では、アナログ映像入力部３１２から入力される映像情報は、Ａ／Ｄ変換部３２１を介し映像エンコーダ部３２２でエンコード処理を施された後、多重部３２４へ送られる。同様にアナログ音声入力部３１３から入力される音声情報は、Ａ／Ｄ変換部３２１を介し音声エンコーダ部３２３でエンコード処理を施された後、多重部３２４へ送られる。また、デジタル音声入力部３１１から入力される音声情報は、符号変換部３２６により、特定の音声圧縮方式で圧縮されたオーディオ情報を伸張し、リニアＰＣＭへ符号変換処理を施された後、多重部３２４へ送られる。または、符号変換部３２６を介さずに多重部３２４へ送られる。多重部３２４では、送られた情報をＭＰＥＧプログラムストリームへと多重化する。多重化されたストリームは、フォーマッタ部３２５により、メインＭＰＵ部３０５内の移動機能処理部３０６からの制御により、静止画像及びテキストを含むオーディオコンテンツ情報の移動を行う場合、本発明に特有の後述される移動方法に従って、ディスク１へ記録される。
【００２５】
再生部３３０では、ディスク１から読み出されたコンテンツ情報から管理データをメインＭＰＵ部３０５へ、多重化されたストリームは分離部３３５へと送られる。分離部３３５では、多重化されたＭＰＥＧプログラムストリームを、音声情報、映像情報等へと分離する。分離された音声情報は、音声デコーダ部３３４でデコード処理を施され、デジタル音声出力部３１６へ出力されるか、Ｄ／Ａ変換部３３１を介し、アナログ音声出力部３１５へ出力される。同様に映像情報は、映像デコーダ部３３３でそれぞれデコード処理を施され、映像プロセッサ部３３２で合成され、アナログ映像出力部３１４へ出力される。また、付加情報は、メインＭＰＵ部３０５へ送られる。
【００２６】
＜オーディオコンテンツのデータ構造＞
上述した情報記録再生装置が扱うオーディオコンテンツのデータ構造を図面を用いて以下に詳細に説明する。図２は、本発明におけるディスク形状の情報記憶媒体１に格納されるデータ構造を示したものである。同図（ａ）のディスク形状の情報記憶媒体１は大きく分けて、同図（ｂ）に示す様に、リードイン領域１０、ボリューム／ファイル構造情報領域１１、データ領域１２、リードアウト領域１３から構成される。
【００２７】
同図（ｃ）に示す様に、データ領域１２は、一般コンピュータ情報記録領域２０、オーディオ・レコーディング・データ記録領域２１及び他のレコーディング・データ記録領域２２から構成される。
【００２８】
同図（ｄ）に示す様に、本発明のデータ構造を格納する領域であるオーディオ・レコーディング・データ記録領域２１は、オーディオ管理情報記録領域３０（ＡＲ＿ＭＡＮＧＲ．ＩＦＯファイル）、オーディオ・オブジェクト群記録領域１００（ＡＲ＿ＡＵＤＩＯ．ＡＲＯファイル）、静止画像オブジェクト群記録領域１１０（ＡＲ＿ＳＴＩＬＬ．ＡＲＯファイル）、テキスト・オブジェクト群記録領域１２０（ＡＲ＿ＴＥＸＴＩ．ＡＲＯファイル）、セキュア情報記録領域１３０（ＡＲ＿ＭＡＮＧＲ．ＣＭＩ）、オーディオ管理情報記録領域３１（ＡＲ＿ＭＡＮＧＲ．ＢＵＰファイル）から構成され、夫々、ファイルとして扱える。
【００２９】
オーディオ・オブジェクト群記録領域１００は、同図（ｆ）に示す様に、連続するオーディオ・データを記録した１つ以上のオーディオ・オブジェクト１０１（ＡＯＢ：Ａｕｄｉｏ　Ｏｂｊｅｃｔ）を含み、さらに同図（ｇ）に示す様に、オーディオ・オブジェクト１０１は、ＭＰＥＧプログラム・ストリームに準拠した１つ以上のオーディオ・パック１０２から構成され、オーディオ・データが格納される。
【００３０】
静止画像オブジェクト群記録領域１１０は、同図（ｅ）に示す様に、１つ以上の静止画像ユニット１１１（ＡＳＶＵ：Ａｕｄｉｏ　Ｓｔｉｌｌ　Ｖｉｄｅｏ　Ｕｎｉｔ）を含み、さらに同図（ｆ）に示す様に、静止画像ユニット１１１は、１つ以上の静止画像オブジェクト１１２（ＡＳＶＯＢ：Ａｕｄｉｏ　ＳｔｉｌｌＶｉｄｅｏ　Ｏｂｊｅｃｔ）を含み、静止画像オブジェクト１１２は、静止画像１枚（ＪＰＥＧ）に対応する。また、静止画像オブジェクト１１２は、同図（ｇ）に示す様に、ＭＰＥＧプログラム・ストリームに準拠したパック群から構成され、システム・ヘッダを含むダミー・パック１１３、静止画像を格納する１つ以上のビデオ・パック１１４及びＭＰＥＧプログラム終了コード１１５から構成される。
【００３１】
テキスト・オブジェクト群記録領域１２０は、同図（ｅ）に示す様に、１つ以上のアイテム・テキスト１２１（ＩＴ＿ＴＸＴ：Ｉｔｅｍ　Ｔｅｘｔ）を含み、さらに同図（ｆ）に示す様に、アイテム・テキスト１２１は、識別コード１２２（ＩＤＣＤ：Ｉｄｅｎｔｉｆｉｅｒ　Ｃｏｄｅ）、テキスト・サイズ１２３（ＴＸＴ＿ＳＺ：Ｔｅｘｔ　Ｓｉｚｅ）、テキスト１２４（ＴＸＴ：Ｔｅｘｔ）から構成される。識別コード１２２は、テキスト１２４に記述されるテキストのタイプを示す。例えば、曲名やポップス、ジャズ等の音楽ジャンル他が定義される。
【００３２】
図３は、オーディオ管理情報記録領域３０に格納されるデータを示したものである。これには、オーディオ管理情報４０（ＡＲ＿ＡＭＧＩ：Ａｕｄｉｏ　Ｒｅｃｏｒｄｉｎｇ　Ａｕｄｉｏ　Ｍａｎａｇｅｒ　Ｉｎｆｏｒｍａｔｉｏｎ）、オーディオ・ファイル情報テーブル５０（ＡＵＤＦＩＴ：Ａｕｄｉｏ　Ｆｉｌｅ　Ｉｎｆｏｒｍａｔｉｏｎ　Ｔａｂｌｅ）、オーディオ静止画像ファイル情報テーブル６０（ＡＳＶＦＩＴ：Ａｕｄｉｏ　Ｓｔｉｌｌ　Ｖｉｄｅｏ　Ｆｉｌｅ　Ｉｎｆｏｒｍａｔｉｏｎ　Ｔａｂｌｅ）、プログラム・チェーン情報７０（ＰＧＣＩ：Ｐｒｏｇｒａｍ　Ｃｈａｉｎ　Ｉｎｆｏｒｍａｔｉｏｎ）、テキスト情報テーブル８０（ＴＸＴＤＴ＿ＭＧ：Ｔｅｘｔ　Ｄａｔａ　Ｍａｎａｇｅｒ）及び製造者情報テーブル９０（ＭＮＦＩＴ：Ｍａｎｆａｃｔｕｒｅｒ’ｓ　Ｉｎｆｏｒｍａｔｉｏｎ　Ｔａｂｌｅ）から構成される。
【００３３】
更に、オーディオ管理情報４０は、オーディオ管理情報管理テーブル４１（ＡＭＧＩ＿ＭＡＴ：Ａｕｄｉｏ　Ｍａｎａｇｅｒ　Ｉｎｆｏｒｍａｔｉｏｎ　ＭａｎａｇｅｍｅｎｔＴａｂｌｅ）とプレイリスト情報テーブル４２（ＰＬＩＴ：Ｐｌａｙ　Ｌｉｓｔ　Ｉｎｆｏｒｍａｔｉｏｎ　Ｔａｂｌｅ）を含み、オーディオ・ファイル情報テーブル５０は、オーディオ・ファイル情報テーブル情報５１（ＡＵＤＦＩＴＩ：ＡＵＤＦＩＴ　Ｉｎｆｏｒｍａｔｉｏｎ）、１つ以上のオーディオ・ストリーム情報を有するオーディオ・ストリーム情報群５２（ＡＵＤ＿ＳＴＩ＃：Ａｕｄｉｏ　Ｓｔｒｅａｍ　Ｉｎｆｏｒｍａｔｉｏｎ）、１つ以上の混合係数情報を有する混合係数情報群５３（ＤＭ＿ＣＯＥＦＩ＃：Ｄｏｗｎ　Ｍｉｘ　Ｃｏｅｆｆｉｃｉｅｎｔ　Ｉｎｆｏｒｍａｔｉｏｎ）及びオーディオ・ファイル情報５４（ＡＵＤＦＩ）を含み、オーディオ静止画像ファイル情報テーブル６０は、オーディオ静止画像ファイル情報テーブル情報６１（ＡＳＶＦＩＴＩ：ＡＳＶＦＩＴ　Ｉｎｆｏｒｍａｔｉｏｎ）、１つ以上のオーディオ静止画像ストリーム情報を有するオーディオ静止画像ストリーム情報群６２（ＡＳＶ＿ＳＴＩ＃：Ａｕｄｉｏ　ＳｔｉｌｌＶｉｄｅｏ　Ｓｔｒｅａｍ　Ｉｎｆｏｒｍａｔｉｏｎ）及びオーディオ静止画像ファイル情報６３（ＡＳＶＦＩ）を含み、プログラム・チェーン一般情報７０は、プログラム・チェーン一般情報７１（ＰＧＣ＿ＧＩ：Ｐｒｏｇｒａｍ　Ｃｈａｉｎ　Ｇｅｎｅｒａｌ　Ｉｎｆｏｒｍａｔｉｏｎ）、１つ以上のプログラム情報を有するプログラム情報群７２（ＰＧＩ＃：Ｐｒｏｇｒａｍ　Ｉｎｆｏｒｍａｔｉｏｎ）１つ以上のセル情報サーチ・ポインタを有するセル情報サーチ・ポインタ群７３（ＣＩ＿ＳＲＰ＃：Ｃｅｌｌ　Ｉｎｆｏｒｍａｔｉｏｎ　Ｓｅａｒｃｈ　Ｐｏｉｎｔｅｒ）及び１つ以上のセル情報を有するセル情報群７４（ＣＩ＃）を含み、テキスト情報テーブル８０（ＴＸＴＤＴ＿ＭＧ：Ｔｅｘｔ　Ｄａｔａ　Ｍａｎａｇｅｒ）は、テキスト・データ情報８１（ＴＸＴＤＴＩ：Ｔｅｘｔ　Ｄａｔａ　Ｉｎｆｏｒｍａｔｉｏｎ）及び１つ以上のアイテム・テキスト・サーチ・ポインタを有するアイテム・テキスト・サーチ・ポインタ群８２（ＩＴ＿ＴＸＴ＿ＳＲＰ＃：Ｉｔｅｍ　Ｔｅｘｔ　Ｓｅａｒｃｈ　Ｐｏｉｎｔｅｒ）を含み、製造者情報テーブル９０は、製造者情報テーブル情報９１（ＭＮＦＩＴＩ：ＭＮＦＩＴ　Ｉｎｆｏｒｍａｔｉｏｎ）、１つ以上の製造者情報サーチ・ポインタを有する製造者情報サーチ・ポインタ群９２（ＭＮＦＩ＿ＳＲＰ＃：Ｍａｎｕｆａｃｔｕｒｅｒ’ｓ　Ｉｎｆｏｒｍａｔｉｏｎ　Ｓｅａｒｃｈ　Ｐｏｉｎｔｅｒ）及び１つ以上の製造者情報を有する製造者情報群９３（ＭＮＦＩ＃）を含む。
【００３４】
図４の（ａ）は、オーディオ管理情報管理テーブル４１の内容を示している。これには、オーディオ管理情報記録領域３０を識別する識別情報４１０、オーディオ管理情報記録領域３０の終了位置情報４１１、オーディオ管理情報４０の終了位置情報４１２、本データ構造を管理するためのバージョン情報４１３、ディスクの代表画像を指定するディスク代表画像情報４１４、ディスク名等に用いられるテキスト情報へのポインタを番号で指定するテキスト・サーチ番号４１５及びオーディオ管理情報記録領域３０に格納される各テーブルの開始アドレス（オーディオ・ファイル情報テーブル５０等）を示す各テーブルの開始位置情報４１６が含まれる。
【００３５】
図４の（ｂ）は、プレイリスト情報テーブル４２の内容を示している。これには、プレイリスト情報テーブル情報４２０（ＰＬＩＴＩ：ＰＬＩＴ　Ｉｎｆｏｒｍａｔｉｏｎ）、１つ以上のプレイリスト情報サーチ・ポインタを有するプレイリスト情報サーチ・ポインタ群４２１（ＰＬＩ＿ＳＲＰ＃：Ｐｌａｙ　ＬｉｓｔＩｎｆｏｒｍａｔｉｏｎ　Ｓｅａｒｃｈ　Ｐｏｉｎｔｅｒ）及び１つ以上のプレイリスト情報を有するプレイリスト情報群４２２（ＰＬＩ＃）が格納され、更に、プレイリスト情報群４２２は、プレイリスト一般情報４２３（ＰＬ＿ＧＩ：Ｐｌａｙ　Ｌｉｓｔ　Ｇｅｎｅｒａｌ　Ｉｎｆｏｒｍａｔｉｏｎ）及び１つ以上のプログラム・サーチ・ポインタを有するプログラム・サーチ・ポインタ群４２４（ＰＧ＿ＳＲＰ＃：Ｐｒｏｇｒａｍ　Ｓｅａｒｃｈ　Ｐｏｉｎｔｅｒ）を含む。プレイリスト一般情報４２３には、本プレイリスト内に格納されるＰＧ＿ＳＲＰの数４２５、本プレイリストの作成日時４２６、本プレイリスト用テキストを検索するテキスト・サーチ番号４２７及び本プレイリスト用代表画像情報４２８が含まれる。プレイリスト情報サーチ・ポインタ群４２１内には、本プレイリストで再生される順番に１つ以上のプログラム番号４２９及びダイナミック・レンジ制御を含む再生情報４３０を含む。
【００３６】
図５は、オーディオ・ファイル情報テーブル５０に格納される情報を示す。オーディオ・ファイル情報テーブル５１は、ディスク内のオーディオ・オブジェクト群記録領域１００に格納されるオーディオ属性を示すオーディオ・ストリーム情報群５２に格納されるオーディオ・ストリーム情報の数、混合係数情報群５３に格納される混合係数情報の数及びオーディオ・ファイル情報テーブル５０の終了位置情報を含む。
【００３７】
オーディオ・ストリーム情報群５２のオーディオ・ストリーム情報は、オーディオ・コーディング・モード、サンプリング周波数、チャネル数等のオーディオ属性を示す。
【００３８】
混合係数情報群５３の混合係数情報は、マルチ・チャネル構成のリニアＰＣＭオーディオを２チャネルにミックス・ダウンする為の係数が格納される。
【００３９】
オーディオ・ファイル情報５４は、オーディオ・ファイル情報一般情報５４０（ＡＵＤＦＩ＿ＧＩ：ＡＵＤＦＩ　Ｇｅｎｅｒａｌ　Ｉｎｆｏｒｍａｔｉｏｎ）及び１つ以上のオーディオ・オブジェクトを有するオーディオ・オブジェクト情報群５４１（ＡＯＢＩ＃：ＡＯＢ　Ｉｎｆｏｒｍａｔｉｏｎ）を含む。オーディオ・ファイル情報一般情報５４０は、オーディオ・オブジェクト情報群５４１に格納されるＡＯＢＩの数を含む。オーディオ・オブジェクト情報群５４１内のオーディオ・オブジェクト情報は、使用するオーディオ・ストリーム情報の番号やダウン・ミックス情報の番号等を示すＡＯＢ内容情報５４２、ＡＯＢ記録日時５４３、ＡＯＢ開始時間５４４、ＡＯＢ終了時間５４５及びオーディオ・オブジェクト群記録領域１００（ＡＲ＿ＡＵＤＩＯ．ＡＲＯファイル）内先頭から本ＡＯＢ先頭までのＡＯＢ開始位置５４６を含む。
【００４０】
図６は、オーディオ静止画像ファイル情報テーブル６０に格納される情報を示す。オーディオ静止画像ファイル情報テーブル情報６１は、ディスク内の静止画像オブジェクト群記録領域１１０に格納される静止画像属性を示すオーディオ静止画像ストリーム情報群６２に格納されるオーディオ静止画像ストリーム情報の数及びオーディオ静止画像ファイル情報テーブル６０の終了位置情報を含む。
【００４１】
オーディオ静止画像ストリーム情報群６２のオーディオ静止画像ストリーム情報は、圧縮コーディングがＪＰＥＧ等であることを示す静止画像属性を示す。
【００４２】
オーディオ静止画像ファイル情報６３は、オーディオ静止画像ファイル情報一般情報６３０（ＡＳＶＦＩ＿ＧＩ：ＡＳＶＦＩ　Ｇｅｎｅｒａｌ　Ｉｎｆｏｒｍａｔｉｏｎ）、１つ以上のオーディオ静止画像ユニット情報サーチ・ポインタを有するオーディオ静止画像ユニット情報サーチ・ポインタ群６３１（ＡＳＶＵＩ＿ＳＲＰ＃：ＡＳＶＵ　Ｉｎｆｏｒｍａｔｉｏｎ　Ｓｅａｒｃｈ　Ｐｏｉｎｔｅｒ）及び１つ以上のオーディオ静止画像ユニット情報を有するオーディオ静止画像ユニット情報群６３２（ＡＳＶＵＩ＃）を含む。オーディオ静止画像ファイル情報一般情報６３０は、オーディオ静止画像ファイル情報６３に格納されるＡＳＶＵＩの数を含む。オーディオ静止画像ユニット情報サーチ・ポインタ群６３１内のオーディオ静止画像ユニット情報サーチ・ポインタは、ＡＳＶＵＩの開始位置を含む。オーディオ静止画像ユニット情報群６３２は、オーディオ静止画像ユニット一般情報６３３（ＡＳＶＵ＿ＧＩ：ＡＳＶＵ　Ｇｅｎｅｒａｌ　Ｉｎｆｏｒｍａｔｉｏｎ）及びオーディオ静止画像オブジェクト・エントリ群６３４（ＡＳＶＯＢ＿ＥＮＴ＃：ＡＳＶＯＢ　Ｅｎｔｒｙ）を含む。オーディオ静止画像ユニット一般情報６３３は、本ＡＳＶＵに格納されるＡＳＶＯＢの数６３５、本ＡＳＶＵで使用するＡＳＶ＿ＳＴＩの番号６３６、最初のＡＳＶＯＢの記録日時６３７、最後のＡＳＶＯＢの記録日時６３８及び静止画像オブジェクト群記録領域１１０（ＡＲ＿ＳＴＩＬＬ．ＡＲＯファイル）内先頭から本ＡＳＶＵ先頭静止画像の開始位置を示すＡＳＶＵ開始位置６３９を含む。オーディオ静止画像オブジェクト・エントリ群６３４内のオーディオ静止画像オブジェクト・エントリは、ＡＳＶＵ内に格納されるＡＳＶＯＢ個々に対して、ＡＳＶＯＢの状態（通常／秘匿）を示すＡＳＶＯＢエントリ・タイプ６４０及びＡＳＶＯＢサイズ６４１を含む。
【００４３】
図７は、プログラム・チェーン情報７０に格納される情報を示す。プログラム・チェーン一般情報７１は、プログラム情報群７２に格納されるプログラム（曲）の数、セル情報サーチ・ポインタ群７３及びセル情報群７４に格納されるセルの数を含む。プログラム情報群７２には、前記プログラムの数で示される１つ以上のプログラム情報が格納される。そのプログラム情報には、本プログラムの状態（通常／プロテクト）を示すプログラム・タイプ７２１、本プログラムに含まれるセル数７２２、本プログラム用テキストを検索するテキスト・サーチ番号７２３、本プログラム用代表画像をＡＳＶＵＩ＿ＳＲＰ番号と、ＡＳＶＯＢ＿ＥＮＴ番号で指定する代表画像情報７２４、本プログラムのオーディオを再生中に表示可能な静止画像ユニットの番号を指定するＡＳＶＵＩ＿ＳＲＰ番号７２５及びその静止画像ユニットに含まれる静止画像の表示モード（シーケンシャル／ランダム）、表示効果（カットイン／アウト、フェードイン／アウト等）及び表示期間等を含むＡＳＶ表示情報７２６が含まれる。セル情報サーチ・ポインタ群７３には、前記セルの数で示される１つ以上のセル情報サーチ・ポインタが格納される。セル情報サーチ・ポインタは、セル情報群７４に格納される対応するセル情報の開始位置情報である。
【００４４】
セル情報群７４には、前記セルの数で示される１つ以上のセル情報が格納される。セル情報は、セル一般情報７４０（Ｃ＿ＧＩ：Ｃｅｌｌ　Ｇｅｎｅｒａｌ　Ｉｎｆｏｒｍａｔｉｏｎ）、セル・エントリ・ポイント情報群７４１（Ｃ＿ＥＰＩ＃：Ｃｅｌｌ　Ｅｎｔｒｙ　Ｐｏｉｎｔ　Ｉｎｆｏｒｍａｔｉｏｎ）から構成される。セル一般情報７４０には、セルが再生選択を伴なうブロックを構成するかを示すセル・タイプ７４２、ダイナミック・レンジ制御のオン／オフを示す再生情報７４３、本セルが参照するＡＯＢのＡＯＢＩ番号７４４、本セル内のセル・エントリ・ポイント情報群７４１に格納されるＣ＿ＥＰＩの数７４５、本セルの再生時間を示すセル再生時間７４６、本セルに対応するＡＯＢでの開始位置を示すセル開始位置７４７、セル開始位置７４７で指示されるオーディオ・パック１０２内のアクセス・ユニットの開始位置を示す開始アクセス・ユニット番号７４８、本セルに対応するＡＯＢでの終了位置を示すセル終了位置７４９、セル終了位置７４９で指示されるオーディオ・パック１０２内のアクセス・ユニットの終了位置を示す終了アクセス・ユニット番号７５０及びセル再生開始時間を示すセル開始時間７５１が含まれる。
【００４５】
セル・エントリ・ポイント情報群７４１には、前記セルの数で示される１つ以上のセル・エントリ・ポイント情報が格納される。セル・エントリ・ポイント情報には、２種類のタイプがあり、タイプＡのセル・エントリ・ポイント情報には、タイプＡを示すエントリ・ポイント・タイプ７５２、本セルが属するプログラム（曲）の代表オーディオを示す情報で、その開始時間を示す代表オーディオ開始時間７５３及び代表オーディオ期間７５４が含まれる。タイプＢのセル・エントリ・ポイント情報には、タイプＢを示すエントリ・ポイント・タイプ７５５、本セルが属するプログラム（曲）内のインデックスを示すインデックス開始時間７５６及びそのインデックスに対するテキスト情報を付加できるテキスト・サーチ番号７５７が含まれる。
【００４６】
＜本発明に係る移動処理＞
（ＰＧＣＩとオーディオコンテンツ情報との関係）
図８は、管理情報であるプログラム・チェーン情報７０と、オーディオ情報、静止画像情報、テキスト情報との関係を示した図である。同図に示す様に、管理情報であり情報の記録順序を示しているプログラム・チェーン情報７０（ＰＧＣＩ）には、１つ以上のプログラム（プログラム情報群７２）が格納でき、各プログラムは、１つ以上のセル（セル情報群７４）から構成される。各セルは、夫々、オーディオ・オブジェクト情報群５４１（ＡＯＢＩ）の１つを指定し（▲１▼）、指定されたＡＯＢＩは、再生データであるオーディオ・オブジェクト群記録領域１００中の対応する１つのＡＯＢを指定する（▲２▼）。このように、曲に対応するプログラムが選択されると、オーディオ再生データが決定される。同様に、各プログラムは、オーディオ静止画像オブジェクト情報群６３２（ＡＳＶＵＩ）の１つを指定でき（▲３▼）、指定されたＡＳＶＵＩには、１つ以上の静止画像オブジェクトを指定するＡＳＶＯＢ＿ＥＮＴを格納でき、各ＡＳＶＯＢ＿ＥＮＴは、１つのＡＳＶＯＢを指定する（▲４▼）。このように、曲に対応するプログラムが選択されると、１つ以上の静止画像が格納されるユニットが決定される。同様に、各プログラムは、アイテム・テキスト・サーチ・ポインタ群８２（ＩＴ＿ＴＸＴ＿ＳＲＰ）の１つを指定でき（▲５▼）、指定されたＩＴ＿ＴＸＴ＿ＳＲＰは、１つのテキストデータであるＩＴ＿ＴＸＴを指定する（▲６▼）。このように、曲に対応するプログラムが選択されると、１つのテキストが決定される。また、ユーザがプログラム（曲）を自由に選択し、登録できる１つ以上のプレイリストをプレイリスト情報群４２２（ＰＬＩ）に格納でき、各プレイリストには、再生順に参照する１つ以上のプログラムを番号指定により格納可能である（▲７▼）。
【００４７】
以上、説明したように、ユーザが一つのプログラムを指定することで、一つのオーディオ情報や関連の静止画像情報やテキスト情報にアクセスすることができ、再生を指示すれば再生することができる。従って、オーディオ情報や関連の静止画像情報やテキスト情報そのものを削除しなくとも、後述するように対応のプログラム（例えば、プログラム＃３）をプログラム・チェーン情報（ＰＧＣＩ）から削除してしまうことで、オーディオ情報や関連の静止画像情報やテキスト情報を再生することができなくなるため、著作権を保護することが可能となる。この働きを利用して後述する本発明に特有の迅速なオーディオコンテンツの移動処理を行うことができる。
【００４８】
（識別情報）
図９は、オーディオコンテンツ（楽曲）を識別可能なＩＤコードの例を示す。同図は、ＩＳＲＣであり、国別コード（２バイトのＡＳＣＩＩキャラクタ）、会社（所有者）コード（３バイトのＡＳＣＩＩキャラクタ）、レコーディング年（２桁）、およびシリアル番号（５桁）で構成される。
【００４９】
図１０は、ＩＳＲＣと同様なコンテンツ（楽曲）を識別可能なコンテンツＩＤ１４０を示す。同図（ａ）に示す様に、コンテンツＩＤ１４０は、共通ＩＤ部分１４１と拡張ＩＤ部分１４２から構成される。同図（ｂ）に示す様に、オーディオコンテンツ１５０は、データとして、オーディオ１５１のみならず、静止画像１５２及びテキスト１５３を含むことが可能であり、夫々のコンテンツＩＤにおいて、セットとして扱われ、同一コンテンツであることを示す共通ＩＤ部分及びオーディオ、静止画像、テキスト等のデータ種別を識別する拡張ＩＤ部分を有する。これらのコンテンツＩＤ１４０は、セキュア情報記録領域１３０に格納される。
【００５０】
（移動処理イメージ）
図１１は、本発明における移動のイメージモデルを示す。基本的にオーディオコンテンツ１５０はセットで扱われ、オーディオ１５１に伴なって再生される静止画像１５２及びテキスト１５３が含まれる。同図において、ディスク１の媒体（ａ）からオーディオコンテンツ１５０のオーディオ１５１のみ（又はオーディオ１５１＋静止画像１５２、又はオーディオ１５１＋テキスト１５３、つまり、移動先が静止画像１５２又はテキスト１５３のどちらか又は両方を扱わない）を移動先の媒体（ｂ）へ移動した場合に、移動元の媒体（ａ）に残された静止画像１５２及びテキスト１５３は無効データとしてディスク管理情報で管理し、プレーヤでの再生不可、又は表示不可等の制限を持たせ、オーディオ１５１が移動したことにより、対応する静止画像１５２及びテキスト１５３を無効とし、ユーザ選択できないようにすることが可能である。
【００５１】
（戻し処理イメージ）
図１２は、図１１において、ディスク１の媒体（ｂ）に移動したオーディオ１５１を移動元の媒体（ａ）に戻す逆移動のイメージモデルを示す。媒体（ｂ）からオーディオ１５１を媒体（ａ）に戻した場合に、媒体（ａ）に残され、無効データとして扱われていた静止画像１５２及びテキスト１５３が、コンテンツＩＤを照合することにより、有効データとし扱われ、戻されたオーディオ１５１と供に再生可能となる。
【００５２】
（ＰＧＣＩとオーディオコンテンツ情報との関係）
本発明に係る移動処理の概要について、図１３を用いて説明する。図１３は、オーディオ１５１を移動した場合の本発明におけるコンテンツモデルでの説明図である。同図に示す様に、プログラム＃３に対応する曲を別の媒体へ移動した場合に、プログラム・チェーン情報７０内のプログラム＃３に帰属するセル＃４が指定するオーディオ・オブジェクト情報群５４１内の対応するＡＯＢＩ＃３（▲１▼）及びＡＯＢ＃３（▲２▼）を削除する。次にプログラム＃３及び帰属するセル＃４を削除することにより、プログラム＃３から指定されていたオーディオ静止画像オブジェクト情報群６３２内のＡＳＶＵＩ＃２へのリンク（▲３▼）、及びアイテム・テキスト・サーチ・ポインタ群８２内のＩＴ＿ＴＸＴ＿ＳＲＰ＃２へのリンク（▲４▼）が切り離され、無効データとして扱われる。従って、再生不可となるので著作権の保護を確実にすることができる。また、併せて、プレイリスト情報群４２２内のプレイリストから、プログラム＃３を参照するプログラム番号をリストから削除する（▲５▼）。
【００５３】
次に、本発明に係る第１及び第２実施形態であるオーディオ情報の移動処理をフローチャートを用いて詳細に説明する。
【００５４】
（第１実施形態）
第１実施形態は、オーディオ情報を移動する際に、移動元のオーディオ情報（ＡＯＢＩ，ＡＯＢ）を削除し、関連のコンテンツ情報は削除することなく、管理情報であるプログラム情報を削除することで関連のコンテンツ情報を再生不可とする移動処理を行う情報記録再生装置を提供する。図１４は、本発明に係る情報記録再生装置の第１実施形態である（ａ）移動処理と（ｂ）戻り処理とを示すフローチャートである。
【００５５】
図１４の（ａ）に示す移動処理において、図１で示される情報処理装置において、主に移動機能処理部３０６により、オーディオコンテンツの移動処理が行われる。最初に、ユーザ等の移動指定により、移動する曲（プログラム情報、セル情報）から参照されるオーディオ、静止画像及びテキストを特定する（Ｓ１）。次に、特定したオーディオのオーディオ情報（ＡＯＢＩ、ＡＯＢ）に基づいて、オーディオを移動先の媒体へコピーする（Ｓ２）。次に、移動元の媒体において、オーディオ情報（ＡＯＢＩ、ＡＯＢ）を削除する（Ｓ３）。そして、プログラム情報へ登録できないように特定した静止画像情報（ＡＳＶＵＩ、ＡＳＶＯＢ）を無効にして、再生不可として著作権を保護する（Ｓ４）。同様に、プログラム情報へ登録できないように特定したテキスト情報（ＩＴ＿ＴＸＴ＿ＳＲＰ，ＩＴ＿ＴＸＴ）を無効にして、再生不可として著作権を保護する（Ｓ５）。そして、移動した曲のプログラム情報とセル情報を削除する（Ｓ６）。最後に、プレイリストに登録された移動した曲（プログラム情報）番号を削除する（Ｓ７）。
【００５６】
本発明に係る第１実施形態である移動処理によれば、このような処理を施すことにより、オーディオ情報に関連するコンテンツ情報である静止画像情報（ＡＳＶＵＩ、ＡＳＶＯＢ）やテキスト情報（ＩＴ＿ＴＸＴ＿ＳＲＰ，ＩＴ＿ＴＸＴ）が削除されることなく、媒体元に残ることとなる。従って、オーディオ情報が再び戻された場合に、プログラムを生成することで直ちに再生可能とすることができる。
【００５７】
次に、図１４の（ｂ）に示す（ａ）の移動処理によって移動したコンテンツの戻り処理において、図１で示される情報処理装置において、主に移動機能処理部３０６により、オーディオコンテンツの戻し移動処理が行われる。（ｂ）において、最初に、戻されたオーディオ（ＡＯＢ）とそのコンテンツＩＤを所定場所へ格納し、その管理情報（ＡＯＢＩ）を作成する（Ｓ１１）。次に、プログラム情報、セル情報を作成し、戻されたオーディオ情報（ＡＯＢＩ、ＡＯＢ）を登録する（Ｓ１２）。次に、識別情報であるオーディオのコンテンツＩＤと、無効になった静止画像情報及びテキスト情報の各コンテンツＩＤとの照合を行う（Ｓ１３）。コンテンツＩＤの一致／不一致を判断する（Ｓ１４）。両者の間でコンテンツＩＤが一致ならば、静止画像情報（ＡＳＶＵＩ、ＡＳＶＯＢ）、テキスト情報（ＩＴ＿ＴＸＴ＿ＳＲＰ、ＩＴ＿ＴＸＴ）を有効にする（Ｓ１５）。具体的には、対応するプログラムを生成し、このプログラム情報に静止画像及びテキストを登録する（Ｓ１６）。最後に、プログラム情報に戻されたオーディオを登録する（Ｓ１７）。又、ステップＳ１４で、両者の間でコンテンツＩＤが一致していなければ、直ちに、プログラム情報に戻されたオーディオを登録する（Ｓ１７）。
【００５８】
このように第１実施形態においては、移動済みのオーディオ情報の戻り処理において、削除せずに残してあるコンテンツ情報の、識別情報であるコンテンツＩＤについて認証処理を行うことにより、認証が認められたら、残してあるコンテンツ情報をプログラムを生成することで、直ちに再生可能とすることができる。従って、オーディオ情報にコンテンツ情報を伴って移動することを行わなくとも、コンテンツ情報の著作権は臍されながら操作の迅速性も得ることができる。
【００５９】
尚、第１実施形態では、静止画像情報及びテキスト情報の両方が残る例を示したが、静止画像情報又はテキスト情報のどちらか一方が残る場合も基本的に同じである。例えば、テキスト情報が残る場合は、上述のステップＳ４での処理において、「特定した静止画像情報に基づいて、静止画情報を移動先の媒体へコピーし、移動元の媒体の静止画像情報を削除する。」に変更することで移動処理が行える。
【００６０】
また、戻り処理においては、上述のステップＳ１１での処理において、「静止画像（ＡＳＶＯＢ）とそのコンテンツＩＤを所定場所へ格納し、その管理情報（ＡＳＶＵＩ）を同時に作成する。」に変更し、ステップＳ１３及びＳ１５において、静止画像情報部分を無効にすることで、戻り処理が行える。
【００６１】
（第２実施形態）
第２実施形態は、オーディオ情報を移動する際に、移動元のオーディオ情報や関連のコンテンツ情報を削除することなく、管理情報であるプログラム情報を削除することで、移動元のオーディオ情報や関連のコンテンツ情報を再生不可とする移動処理を行う情報記録再生装置を提供する。
【００６２】
図１５は、本発明に係る情報記録再生装置の第２実施形態である（ａ）移動処理と（ｂ）戻り処理とを示すフローチャートである。移動元の媒体容量に十分な余裕がある場合は、移動処理において実際の削除は行わず、無効データとして扱うことで移動処理を迅速に行うことができる。
【００６３】
図１５の（ａ）に示す移動処理において、主に移動機能処理部３０６により、オーディオコンテンツの移動処理が行われる。最初に、ユーザ等の移動指定により、移動する曲（プログラム情報、セル情報）から参照されるオーディオ、静止画像及びテキストを特定する（Ｓ２１）。次に、特定したオーディオのオーディオ情報（ＡＯＢＩ、ＡＯＢ）に基づいて、オーディオを移動先の媒体へコピーする（Ｓ２２）。次に、プログラム情報へ登録できないように特定したオーディオ情報（ＡＯＢＩ、ＡＯＢ）を無効にする（Ｓ２３）。同様に、プログラム情報へ登録できないように特定した静止画像情報（ＡＳＶＵＩ、ＡＳＶＯＢ）を無効にする（Ｓ２４）。同様に、プログラム情報へ登録できないように特定したテキスト情報（ＩＴ＿ＴＸＴ＿ＳＲＰ、ＩＴ＿ＴＸＴ）を無効にする（Ｓ２５）。そして、移動した曲のプログラム情報とセル情報とを削除する（Ｓ２６）。最後に、プレイリストに登録された移動した曲（プログラム情報）番号を削除する（Ｓ２７）。
【００６４】
本発明に係る第１実施形態である移動処理によれば、このような処理を施すことにより、オーディオ情報や関連するコンテンツ情報である静止画像情報（ＡＳＶＵＩ、ＡＳＶＯＢ）、テキスト情報（ＩＴ＿ＴＸＴ＿ＳＲＰ，ＩＴ＿ＴＸＴ）等が削除されることなく、媒体元に残ることとなる。従って、オーディオ情報を再び戻す場合に、実際のデータ移動を最小限に抑え、プログラムを生成することでオーディオ情報や関連するコンテンツ情報を直ちに再生可能とすることができる。
【００６５】
図１５の（ｂ）は、（ａ）の移動処理によって移動したコンテンツの戻り処理を示すフローチャートである。図１５の（ｂ）において、最初に、戻されたオーディオのコンテンツＩＤと、無効となったオーディオ情報（ＡＯＢＩ、ＡＯＢ）のコンテンツとを照合する（Ｓ３１）。そして、コンテンツＩＤの一致／不一致を判断する（Ｓ３２）。コンテンツＩＤが一致ならば、オーディオ情報（ＡＯＢＩ、ＡＯＢ）を（プログラムを生成することで）有効にする（Ｓ３３）。コンテンツＩＤが不一致であれば、オーディオとそのコンテンツＩＤを所定場所へ格納し、その管理情報（ＡＯＢＩ）を作成する（Ｓ３４）。そして、プログラム情報、セル情報を作成する（Ｓ３５）。
【００６６】
又更に、オーディオのコンテンツＩＤと無効になった静止画像情報及びテキスト情報の各コンテンツＩＤとを照合する（Ｓ３６）。コンテンツＩＤの一致／不一致を判断し（Ｓ３７）、コンテンツＩＤが一致ならば、テキスト情報（ＩＴ＿ＴＸＴ＿ＳＲＰ、ＩＴ＿ＴＸＴ）を有効にする（Ｓ３８）。なお、ここで、コンテンツＩＤが不一致ならば、直ちにプログラム情報に戻されたらオーディオを登録する（Ｓ４０）。
【００６７】
次に、静止画像情報（ＡＳＶＵＩ、ＡＳＶＯＢ）、プログラム情報に静止画像及びテキストを登録する（Ｓ３９）。そして最後に、プログラム情報に戻されたらオーディオを登録する（Ｓ４０）。
【００６８】
第２実施形態においては、上述するように、オーディオを他の媒体に移動する際に、オーディオ情報を削除するのではなく、管理情報であるプログラム等を削除することで、オーディオ情報、コンテンツ情報である静止画像情報、テキスト情報等を再生不可として、著作権を保護するものである。その後、同一のオーディオ情報が再び、媒体元に戻されれば、識別情報であるコンテンツＩＤで認証処理を行い同一であると認められることで、無効であったオーディオ情報、コンテンツ情報である静止画像情報、テキスト情報等をプログラムを生成することで全て再生可能とする。このような移動処理を施すことにより本発明は、迅速な移動処理を行いながら、著作権の保護も確実に行うことができる情報処理装置を提供するものである。
【００６９】
以上説明したように、本発明により、オーディオに伴なう静止画像及びテキスト等を含めた音楽コンテンツを共通のコンテンツＩＤを用いて、ユニット的な扱いを行うことにより、オーディオをベースとした移動状況に応じて、各データを無効データとして扱い、戻し移動がなされた場合に、コンテンツＩＤの照合により、無効データを有効データとして再利用可能とすることにより、実際のデータ移動を最小限に抑え、結果迅速な音楽コンテンツの移動を提供することができる。
【００７０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００７１】
すなわち、上記各実施形態では、オーディオ情報を移動する際に、コンテンツ情報である静止画像情報やテキスト画像の扱いについて述べたが、移動される情報は静止画像情報であり、関連コンテンツ情報がオーディオ情報であってもかまわない。又、これ以外の動画情報や他の形態の情報であっても、同様の特徴により同様の作用効果を発揮するものである。
【００７２】
【発明の効果】
以上詳述したように本発明によれば、オーディオに伴なう静止画像及びテキスト等を含めた音楽コンテンツを識別情報である共通のコンテンツＩＤを用いて管理することにより、各データを削除することなく再生不可とすることで著作権を保護し、その後、戻し移動がなされた場合に、コンテンツＩＤの照合により再び再生可能とすることで、実際のデータ移動を最小限に抑え、結果迅速な移動処理が可能な情報記録再生装置及びこの方法を提供することができる。
【図面の簡単な説明】
【図１】本発明に係る情報記録再生装置の一例を示すブロック図。
【図２】本発明に係る情報記録再生装置が扱う記録媒体に記録されるデータ構成の図。
【図３】本発明に係る情報記録再生装置が扱う記録媒体に記録されるデータ構成の図。
【図４】本発明に係る情報記録再生装置が扱う記録媒体に記録されるデータ構成の図。
【図５】本発明に係る情報記録再生装置が扱う記録媒体に記録されるデータ構成の図。
【図６】本発明に係る情報記録再生装置が扱う記録媒体に記録されるデータ構成の図。
【図７】本発明に係る情報記録再生装置が扱う記録媒体に記録されるデータ構成の図。
【図８】本発明に係る情報記録再生装置が扱う記録媒体に記録されるデータ構成の本発明の扱いを示す図。
【図９】本発明に係る情報記録再生装置が扱うコンテンツ（楽曲）を識別するコード例（ＩＳＲＣ）を示す図。
【図１０】本発明に係る情報記録再生装置が扱うコンテンツＩＤの説明図。
【図１１】本発明に係る情報記録再生装置の移動処理のイメージ図。
【図１２】本発明に係る情報記録再生装置の戻り処理のイメージ図。
【図１３】本発明に係る情報記録再生装置のコンテンツモデルにおける移動処理の概念図。
【図１４】本発明に係る情報記録再生装置の第１実施形態である移動処理及び戻り処理のフローチャート。
【図１５】
本発明に係る情報記録再生装置の第２実施形態である移動処理及び戻り処理のフローチャート。
【符号の説明】
１…光ディスク、３０２…ディスクドライブ部、３０３…データプロセッサ部、３０４…一時記憶部、３０５…メインＭＰＵ部、３０６…移動機能処理部、３１１…アナログ映像入力部、３１２…アナログ映像入力部、３１３…アナログ音声入力部、３１４…アナログ映像出力部、３１５…アナログ音声出力部、３１６…デジタル音声出力部、３２０…記録部、３２１…Ａ／Ｄ変換部、３２２…映像エンコーダ部、３２３…音声エンコーダ部、３２４…多重部、３２５…フォーマッタ部、３２６…符号変換部、３３０…再生部、３３１…Ｄ／Ａ変換部、３３２…映像プロセッサ部、３３３…映像デコーダ部、３３４…音声デコーダ部、３３５…分離部、３４１…パッケージメディアコンテンツ、３４２…電子音楽配信コンテンツ。
【図１】
2004005816.tif 000003
【図２】
2004005816.tif 000004
【図３】
2004005816.tif 000005
【図４】
2004005816.tif 000006
【図５】
2004005816.tif 000007
【図６】
2004005816.tif 000008
【図７】
2004005816.tif 000009
【図８】
2004005816.tif 000010
【図９】
2004005816.tif 000011
【図１０】
2004005816.tif 000012
【図１１】
2004005816.tif 000013
【図１２】
2004005816.tif 000014
【図１３】
2004005816.tif 000015
【図１４】
2004005816.tif 000016
【図１５】
2004005816.tif 000017